(57)【要約】【課題】    アンテナ特性の大幅な改善を図るとともに、機器内蔵のスピーカを使用するのか、イヤホンで聞くのかの選択を可能とする。【解決手段】    ステレオヘッドホン８０Ｌ，８０Ｒが接続された音声信号用伝送線２〜４と高周波信号用伝送線５，６からなるケーブル６０の基端部に上記ケーブル６０を音声信号用伝送線２〜４と高周波信号用伝送線５，６に分岐する分岐部４０を有し、上記分岐部４０において分岐された上記音声信号用伝送線２〜４が接続された音声用プラグ１０と上記高周波信号用伝送線５，６が接続されたアンテナ用プラグ１１とを分離して設ける。【選択図】    図４
2010110008.tif 000002
【特許請求の範囲】
【請求項１】
携帯型無線機器に接続されるヘッドホンアンテナであって、
ステレオヘッドホンが接続された音声信号用伝送線と高周波信号用伝送線からなるケーブルの基端部に上記ケーブルを音声信号用伝送線と高周波信号用伝送線に分岐する分岐部を有し、
上記分岐部において分岐された上記音声信号用伝送線が接続された音声用プラグと上記高周波信号用伝送線が接続されたアンテナ用プラグとを分離して設けたことを特徴とするヘッドホンアンテナ。
【請求項２】
上記音声用プラグは上記分岐部から導出された音声信号用伝送線の先端に設けられ、
上記アンテナ用プラグは上記分岐部から導出された高周波信号用伝送線の先端に設けられていることを特徴とする請求項１記載のヘッドホンアンテナ。
【請求項３】
上記音声用プラグと上記アンテナ用プラグの少なくとも一方は上記分岐部と一体に形成されていることを特徴とする請求項１記載のヘッドホンアンテナ。
【発明の詳細な説明】
【技術分野】
【０００１】
本発明は、携帯型無線機器に接続されるヘッドホンアンテナに関する。
【背景技術】
【０００２】
人体に装着して使用されるページャ、ラジオ受信機や液晶テレビジョン受像機などの携帯型無線機器において、ロッドアンテナやヘッドホンへ音声信号を伝送する信号線をアンテナとして利用するヘッドホンアンテナが使用されている（例えば、特許文献１参照）。
【０００３】
従来、テレビジョン放送やＦＭラジオ放送を受信するヘッドホンアンテナは、音声用グランド、音声信号線（右）、音声信号線（左）から構成される音声信号伝送線と、アンテナ信号の伝送にアンテナ信号線及びアンテナグランド線から構成されるアンテナ同軸線を使用している。これに使用されるコネクタは、通常高周波特性を考慮しておらず、通常のφ２．５の５極ピンジャックや１０ピンの平形コネクタを使用されており、ＵＨＦ帯においては、最大３ｄＢ以上ロスが発生していた。また、機器を家庭のテレビのアンテナ端子に繋いでテレビを見る場合、アンテナ端子が、イヤホンジャックと兼用されているために、イヤホンでの視聴ができない構造となっていた。
【先行技術文献】
【特許文献】
【０００４】
【特許文献１】特開２００３−１６３５２９号公報
【特許文献２】特開２００４−２６６４３４号公報
【特許文献３】実開昭５２−１１０４２７号公報
【発明の概要】
【発明が解決しようとする課題】
【０００５】
上述の如く、テレビジョン放送やＦＭラジオ放送の受信に使用されるヘッドホンアンテナは、通常のヘッドホンをφ３．５のイヤホン端子にそのまま接続して使用されており、非常に感度の低いものであった。また、近年、広く普及しつつある携帯電話でのテレビ視聴に使用されているヘッドホンアンテナは、前述のものより感度は、いいもののコネクタ形状が特殊なために外部のアンテナを付けて、ヘッドホンで聞くことはできなかった。さらに、このコネクタが、アンテナ特性を考慮して設計されてないために、コネクタ部での信号ロスが大きいという問題があった。
【０００６】
そこで、本発明の目的は、上述の如き従来の問題点に鑑み、アンテナ特性の大幅な改善を図るとともに、機器内蔵のスピーカを使用するのか、イヤホンで聞くのかの選択を可能とするヘッドホンアンテナ及び携帯型無線機を提供することにある。
【０００７】
本発明の更に他の目的、本発明によって得られる具体的な利点は、以下に説明される実施の形態の説明から一層明らかにされる。
【課題を解決するための手段】
【０００８】
本発明は、携帯型無線機器に接続されるヘッドホンアンテナであって、ステレオヘッドホンが接続された音声信号用伝送線と高周波信号用伝送線からなるケーブルの基端部に上記ケーブルを音声信号用伝送線と高周波信号用伝送線に分岐する分岐部を有し、上記分岐部において分岐された上記音声信号用伝送線が接続された音声用プラグと上記高周波信号用伝送線が接続されたアンテナ用プラグとを分離して設けたことを特徴とする。
【０００９】
本発明に係るヘッドホンアンテナでは、例えば、上記音声用プラグは上記分岐部から導出された音声信号用伝送線の先端に設けられ、上記アンテナ用プラグは上記分岐部から導出された高周波信号用伝送線の先端に設けられる。
【００１０】
また、本発明に係るヘッドホンアンテナでは、例えば、上記音声用プラグと上記アンテナ用プラグの少なくとも一方は上記分岐部と一体に形成される。
【発明の効果】
【００１１】
本発明では、ヘッドホンアンテナのアンテナ端子と音声用の端子を分離することで、アンテナ特性の大幅な改善を図ることができる。また、機器を家庭のテレビのアンテナ端子に繋いでテレビを視聴する場合において、この分離により音声用ピンジャックに最も普及しているφ３．５のものが使用でき、通常のイヤホンが使用でき、機器内蔵のスピーカを使用するのか、イヤホンで聞くのかの選択が可能となる。
【図面の簡単な説明】
【００１２】
【図１】本発明を適用した液晶テレビジョン受像機の構成を示す図である。
【図２】上記液晶テレビジョン受像機に接続されるヘッドホンアンテナを構成するケーブルの構成を示す図である。
【図３】本発明に係るイヤホンアンテナの構成を示す図である。
【図４】上記イヤホンアンテナにおける分岐部の構造を模式的に示す図である。
【図５】上記ヘッドホンアンテナが接続される受像器本体の構成を示すブロック図である。
【図６】本発明に係るイヤホンアンテナの他の構成例を示す図である。
【発明を実施するための形態】
【００１３】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１４】
本発明は、例えば図１に示すような構成の液晶テレビジョン受像機１００に適用される。
【００１５】
この図１に示す液晶テレビジョン受像機１００は、ピンプラグコネクタ１０，１１を介して受像器本体１２０に接続されるヘッドホンアンテナ５０を備え、ヘッドホンアンテナ５０により受信されるテレビジョン信号を受信機本体１２０に送り、受信機本体１２０から音声信号をヘッドホンアンテナ５０を介してステレオヘッドホン８０Ｌ，８０Ｒに送るようになっている。
【００１６】
上記ヘッドホンアンテナ５０は、ピンプラグコネクタ１０，１１を介して受像器本体１２０に接続される２本のケーブル３１，３２が導出されている分岐部４０と、上記分岐部４０から導出されたケーブル６０の先端に設けられた接続ブロック７０と、上記接続ブロック７０に２本のヘッドホンケーブル８１，８２を介して接続されたステレオヘッドホン８０Ｌ，８０Ｒを備える。
【００１７】
ここで、上記ヘッドホンアンテナ５０は、図２に示すように、音声用グランド２、音声信号線（右）３、音声信号線（左）４から構成される音声信号伝送線８と、アンテナ信号の伝送にアンテナ信号線５及びアンテナグランド線６から構成されるアンテナ同軸線７を使用している。
【００１８】
従来、ヘッドホンアンテナの接続に使用されるコネクタは、通常高周波特性を考慮しておらず損失が大きいばかりでなく、機器を家庭のテレビのアンテナ端子に繋いでテレビを見る場合、アンテナ端子が、イヤホンジャックと兼用されているために、イヤホンでの視聴ができないない構造となっていたが、本発明では、この部分を改善するために、図３に示すように、ヘッドホンアンテナ５０を途中より２分岐させて、それぞれのジャックに挿すという方法を採用した。
【００１９】
すなわち、ヘッドホンアンテナ５０の根元に分岐部４０を設け、上記分岐部４０から導出した２本のケーブル３１，３２の先端に、音声用グランド２’、音声信号（右）３’、音声信号（左）４’から構成されるφ３．５  音声用ピンプラグ１０Ａと、アンテナ信号の伝送にアンテナ信号’５及びアンテナグランド６’から構成されるアンテナ用ピンプラグ１１Ａを接続してなる。
【００２０】
上記分岐部４０は、図４に示すように、分岐基板１３が内蔵されており、ヘッドホンアンテナ５０のアンテナグランド線６が分岐基板１３の背面に形成されているベタグランド１４にはんだで接続され、また、アンテナ信号線５が分岐基板１３上のアンテナ信号ライン１５にはんだで接続される。また、アンテナ信号ライン１５は、テレビ信号をロスなく伝送するために特性インピーダンスが、７５Ωになるようにライン幅が規定されるマイクロストリップラインで形成されている。
【００２１】
このアンテナ信号ライン１５は、高周波的にロスが少ない構造であればよく、左右をグランドで覆ったコプレーナーラインで構成してもよい。次に音声信号伝送線８の音声用グランド２、音声信号線（右）３、音声信号線（左）４は、分岐基板１３上の音声用グランドライン１６、音声信号ライン（右）１７、音声信号ライン（左）１８にはんだで接続されている。分岐基板１３上の音声用グランドライン１６、音声信号ライン（右）１７、音声信号ライン（左）１８上にはフェライトビーズ１２が挿入されており、高周波ノイズの除去すなわちテレビ信号などの高周波信号と音声信号などの低周波信号分離を行っている。上記フェライトビーズ１２で低周波信号分離を行うことにより、これらの信号線をアンテナとして使用することができる。
【００２２】
また、上記分岐基板１３には、図４に示すように、φ３．５音声用ピンプラグ１０Ａとアンテナ用ピンプラグ１１Ａの信号線がそれぞれはんだ付けして接続される。アンテナ用ピンプラグ１１Ａには、この例では、ＳＭＫ製のφ３．５のアンテナプラグを使用した。そして、上記分岐部４０は、この状態で、成形機でＰＰ材を使用して、１次成形を行い、さらに、ポリエステル系の材料で、２次成形を行い、完成品とされている。
【００２３】
上記ヘッドホンアンテナ５０が接続される受像器本体１２０には、図５に示すように、上記ピンプラグコネクタ１０を構成するジャック１０Ｂ、上記ピンプラグコネクタ１１を構成するジャック１１Ｂ、上記ジャック１１Ｂが接続されたチューナ部１２１、このチューナ部１２１に接続された中間周波信号処理部１２２、この中間周波信号処理部１２２に接続された映像信号処理部１２３、上記映像信号処理部１２３に接続された液晶表示部１２４、上記中間周波信号処理部１２２に接続された音声信号処理部１２５等を備え、上記音声信号処理部１２５にジャック１０Ｂが接続されている。
【００２４】
このような構成の液晶テレビジョン受像機１００では、ヘッドホンアンテナ５０のアンテナ端子と音声用の端子を分離することで、アンテナ特性の大幅な改善を図ることができる。また、機器を家庭のテレビのアンテナ端子に繋いでテレビを視聴する場合において、この分離により音声用ピンジャックに最も普及しているφ３．５のものが使用でき、通常のイヤホンが使用でき、機器内蔵のスピーカを使用するのか、イヤホンで聞くのかの選択が可能である。
【００２５】
なお、上述のヘッドホンアンテナ５０では、分岐部４０から導出した２本のケーブル３１，３２の先端に音声用ピンプラグ１０Ａとアンテナ用ピンプラグ１１Ａを設けるようにしたが、上記音声用ピンプラグ１０Ａとアンテナ用ピンプラグ１１Ａの少なくとも一方を上記分岐部４０に直接設けるようにしてもよく、例えば図６に示すヘッドホンアンテナ５０Ａのように、分岐部４０に音声用ピンプラグ１０Ａとアンテナ用ピンプラグ１１Ａを直接設けるようにして、分岐部４０と音声用ピンプラグ１０Ａとアンテナ用ピンプラグ１１Ａを一体化した構造を採用してもよい。
【００２６】
また、上述の実施の形態では、本発明に係るヘッドホンアンテナ５０を液晶テレビジョン受像機１００に接続するものとして説明したが、例えば、ＵＳＢポートを備える携帯型のオーディオ再生機やビデオ再生機において、上記ＵＳＢポートにチューナアダプタを装着することにより受信機能を拡張するような場合に、上記チューナアダプタに上記ヘッドホンアンテナ５０を接続したり、テレビジョン放送の受信機能を有する携帯電話機に上記ヘッドホンアンテナ５０を接続するなど、上記ヘッドホンアンテナ５０は各種の携帯無線機器に適用することができる。
【符号の説明】
【００２７】
２  音声用グランド、３  音声信号線（右）、４  音声信号線（左）、５  アンテナ信号線、６  アンテナグランド線、７  アンテナ同軸線、８  音声信号伝送線、１０，１１  ピンプラグコネクタ、１０Ａ  音声用ピンプラグ、１０Ｂ  ジャック、１１Ａ  アンテナ用ピンプラグ、１１Ｂ  ジャック、１２  フェライトビーズ、１３  分岐基板、１４  ベタグランド、１５  アンテナ信号ライン、１６  音声用グランドライン、１７  音声信号ライン（右）、１８音声信号ライン（左）、３１，３２  ケーブル、４０  分岐部、５０，５０Ａ  ヘッドホンアンテナ、６０  ケーブル、７０  接続ブロック、８０Ｌ，８０Ｒ  ステレオヘッドホン、８１，８２  ヘッドホンケーブル、１００  液晶テレビジョン受像機、１２０  受像器本体、１２１  チューナ部、１２２  中間周波信号処理部、１２３  映像信号処理部、１２４  液晶表示部、１２５  音声信号処理部
【図１】
2010110008.tif 000003
【図２】
2010110008.tif 000004
【図３】
2010110008.tif 000005
【図４】
2010110008.tif 000006
【図５】
2010110008.tif 000007
【図６】
2010110008.tif 000008
【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
アンテナ信号線と音声信号線とを一体化したケーブルに接続され、
前記アンテナ信号線と前記音声信号線とを分離し、分離された前記アンテナ信号線とアンテナ用プラグとを接続するとともに、分離された前記音声信号線と音声用プラグとを接続し、
前記音声信号線と前記音声用プラグとの間には、高周波ノイズを除去する高周波ノイズ除去部が挿入されているケーブル信号分離回路。
【請求項２】
前記高周波ノイズ除去部は、フェライトビーズである請求項１記載のケーブル信号分離回路。
【請求項３】
前記アンテナ用プラグは、φ３．５アンテナプラグである請求項１又は請求項２記載のケーブル信号分離回路。
【請求項４】
前記音声用プラグは、φ３．５音声用プラグである請求項１−請求項３の内何れか１項記載のケーブル信号分離回路。
【請求項５】
前記アンテナ信号線は、アンテナグランド線とともにアンテナ同軸線を構成し、前記ケーブルに実装されている請求項１−請求項４の内何れか１項記載のケーブル信号分離回路。
【請求項６】
前記音声信号線は、音声用グランド線とともに音声信号伝送線を構成し、前記アンテナ同軸線とともに前記ケーブルに実装されている請求項５記載のケーブル信号分離回路。
【請求項７】
分岐基板を有し、
前記分岐基板には、前記アンテナグランド線が接続されるベタグランドが形成されている請求項５又は請求項６記載のケーブル信号分離回路。
【請求項８】
前記分岐基板には、前記アンテナ信号線が接続されるアンテナ信号ラインが形成され、
前記アンテナ信号ラインは、所定の特性インピーダンスとなるようにライン幅が規定されている請求項７記載のケーブル信号分離回路。
【請求項９】
ヘッドホン部と、
前記ヘッドホン部が接続される接続ブロックと、
前記接続ブロックに接続され、前記ヘッドホン部と接続される音声信号線とアンテナ信号線とが一体化したケーブルと、
前記ケーブルが接続され、前記アンテナ信号線と前記音声信号線とを分離し、分離された前記アンテナ信号線とアンテナ用プラグとを接続するとともに、分離された前記音声信号線と音声用プラグとを接続するケーブル信号分離回路とを備え、
前記ケーブル信号分離回路は、前記音声信号線と前記音声用プラグとの間に、高周波ノイズを除去する高周波ノイズ除去部が挿入されているヘッドホンアンテナ。
【請求項１０】
ヘッドホンアンテナと、
受信機本体と、
を備えた携帯型無線機であって、
前記ヘッドホンアンテナは、
ヘッドホン部と、
前記ヘッドホン部が接続される接続ブロックと、
前記接続ブロックに接続され、前記ヘッドホン部と接続される音声信号線とアンテナ信号線とが一体化したケーブルと、
前記ケーブルが接続され、前記アンテナ信号線と前記音声信号線とを分離し、分離された前記アンテナ信号線とアンテナ用プラグとを接続するとともに、分離された前記音声信号線と音声用プラグとを接続するケーブル信号分離回路と、
を有し、
前記受信機本体は、
前記音声用プラグが接続される音声用ジャックと、
前記アンテナ用プラグが接続されるアンテナ用ジャックと、
前記アンテナ用ジャックと接続されたチューナ部と、
を有し、
前記ケーブル信号分離回路は、前記音声信号線と前記音声用プラグとの間に、高周波ノイズを除去する高周波ノイズ除去部が挿入されている
携帯型無線機。
【手続補正３】
【補正対象書類名】明細書
【補正対象項目名】０００１
【補正方法】変更
【補正の内容】
【０００１】
本発明は、ケーブル信号分離回路、ヘッドホンアンテナ及び携帯型無線機に関する。
【手続補正４】
【補正対象書類名】明細書
【補正対象項目名】０００６
【補正方法】変更
【補正の内容】
【０００６】
そこで、本発明の目的は、上述の如き従来の問題点に鑑み、アンテナ特性の大幅な改善を図るケーブル信号分離回路、ヘッドホンアンテナ及び携帯型無線機を提供することにある。
【手続補正５】
【補正対象書類名】明細書
【補正対象項目名】０００８
【補正方法】変更
【補正の内容】
【０００８】
本発明に係るケーブル信号分離回路は、アンテナ信号線と音声信号線とを一体化したケーブルに接続され、前記アンテナ信号線と音声信号線とを分離し、分離された前記アンテナ信号線とアンテナ用プラグとを接続するとともに、分離された前記音声信号線と音声用プラグとを接続し、前記前記音声信号線と前記音声用プラグとの間には、高周波ノイズを除去する高周波ノイズ除去部が挿入されている。
【手続補正６】
【補正対象書類名】明細書
【補正対象項目名】０００９
【補正方法】変更
【補正の内容】
【０００９】
本発明に係るヘッドホンアンテナは、ヘッドホン部と、前記ヘッドホン部が接続される接続ブロックと、前記接続ブロックに接続され、前記ヘッドホン部と接続される音声信号線とアンテナ信号線とが一体化したケーブルと、前記ケーブルが接続され、前記アンテナ信号線と音声信号線とを分離し、分離された前記アンテナ信号線とアンテナ用プラグとを接続するとともに、分離された前記音声信号線と音声用プラグとを接続するケーブル信号分離回路とを備え、前記ケーブル信号分離回路は、前記前記音声信号線と前記音声用プラグとの間に、高周波ノイズを除去する高周波ノイズ除去部が挿入されている。
【手続補正７】
【補正対象書類名】明細書
【補正対象項目名】００１０
【補正方法】変更
【補正の内容】
【００１０】
本発明に係る携帯型無線機は、ヘッドホンアンテナと、受信機本体とを備えた携帯型無線機であって、前記ヘッドホンアンテナは、ヘッドホン部と、前記ヘッドホン部が接続される接続ブロックと、前記接続ブロックに接続され、前記ヘッドホン部と接続される音声信号線とアンテナ信号線とが一体化したケーブルと、前記ケーブルが接続され、前記アンテナ信号線と音声信号線とを分離し、分離された前記アンテナ信号線とアンテナ用プラグとを接続するとともに、分離された前記音声信号線と音声用プラグとを接続するケーブル信号分離回路と、を有し、前記受信機本体は、前記音声用プラグが接続される音声用ジャックと、前記アンテナ用プラグが接続されるアンテナ用ジャックと、前記アンテナ用ジャックと接続されたチューナ部と、を有し、前記ケーブル信号分離回路は、前記音声信号線と前記音声用プラグとの間に、高周波ノイズを除去する高周波ノイズ除去部が挿入されている。
【手続補正８】
【補正対象書類名】明細書
【補正対象項目名】００１１
【補正方法】変更
【補正の内容】
【００１１】
本発明では、音声信号線と音声用プラグとの間に、高周波ノイズを除去する高周波ノイズ除去部を挿入したことにより、音声用グランドライン及び音声信号ライン上の高周波ノイズを除去することができる。また、ヘッドホンアンテナのアンテナ端子と音声用の端子を分離することで、アンテナ特性の大幅な改善を図ることができる。更に、機器を家庭のテレビのアンテナ端子に繋いでテレビを視聴する場合において、この分離により音声用ピンジャックに最も普及しているφ３．５のものが使用でき、通常のイヤホンが使用でき、機器内蔵のスピーカを使用するのか、イヤホンで聞くのかの選択が可能となる。
【手続補正９】
【補正対象書類名】明細書
【補正対象項目名】００２１
【補正方法】変更
【補正の内容】
【００２１】
このアンテナ信号ライン１５は、高周波的にロスが少ない構造であればよく、左右をグランドで覆ったコプレーナーラインで構成してもよい。次に音声信号伝送線８の音声用グランド２、音声信号線（右）３、音声信号線（左）４は、分岐基板１３上の音声用グランドライン１６、音声信号ライン（右）１７、音声信号ライン（左）１８にはんだで接続されている。分岐基板１３上の音声用グランドライン１６、音声信号ライン（右）１７、音声信号ライン（左）１８上にはフェライトビーズ１２が挿入されており、高周波ノイズの除去を行っている。